(57)【要約】      （修正有）【課題】同じ補助装置を使用して、携帯通信端末への充電と、パソコン用キーボードを使用した文字入力とができるようにする。【解決手段】補助装置１は、携帯通信端末に電力を供給する充電部２１と、パソコン用キーボードの接続を可能にする形式を定めたキーボード用のインターフェース１３と、携帯通信端末との接続を可能にする携帯通信端末用のインターフェース１５と、パソコンとの接続を可能にするパソコン用のインターフェース１４とを備える。パソコン用キーボードから入力されたデータは、携帯通信端末用データ変換手段１８により携帯通信端末用のデータに変換し、携帯通信端末に出力する。又、パソコン用キーボードから入力されたデータは、パソコン用データ変換手段１７により、パソコンのデータに変換し、パソコンに出力する。更に、補助装置１を使用して、携帯通信端末への充電と、キーボードを使用した携帯通信端末への文字入力を可能にする。【選択図】図２
2006325151.tif 000002
【特許請求の範囲】
【請求項１】
携帯通信端末用の補助装置であって、
前記携帯通信端末に電力を供給する充電部と、
パソコン用キーボードの接続を可能にする形式を定めたキーボード用インターフェースと、
前記携帯通信端末との接続を可能にする形式を定めた携帯通信端末用インターフェースと、
パソコンとの接続を可能にする形式を定めたパソコン用インターフェースと、
前記パソコン用キーボードから入力されたデータを携帯通信端末用のデータに変換し、前記携帯通信端末用インターフェースを介して前記携帯通信端末に出力する携帯通信端末用データ変換手段と、
前記パソコン用キーボードから入力されたデータをパソコンのデータに変換し、前記パソコン用インターフェースを介して前記パソコンに出力するパソコン用データ変換手段とを備え、
携帯通信端末への充電と、パソコン用キーボードを使用した携帯通信端末への文字入力操作とを可能にしたことを特徴とする携帯通信端末用補助装置。
【請求項２】
パソコン用キーボードから入力されたデータを、携帯通信端末用データ変換手段を介して携帯通信端末に出力する接続と、パソコン用インターフェースを介して前記パソコンに出力する接続とのいずれか一方に切り換える操作を、パソコン用キーボードから入力される任意のキーコードで切り換え可能に構成したことを特徴とする請求項１記載の携帯通信端末用補助装置。
【請求項３】
上記キーボード用インターフェースを、ＰＳ／２コネクタ接続対応にしたことを特徴とする請求項１または２記載の携帯通信端末用補助装置。
【請求項４】
上記キーボード用インターフェースを、ＵＳＢコネクタ接続対応にしたことを特徴とする請求項１または２記載の携帯通信端末用補助装置。
【請求項５】
上記充電部に外部ＡＣ電源アダプターを接続したことを特徴とする請求項１，２，３または４記載の携帯通信端末用補助装置。
【発明の詳細な説明】
【技術分野】
【０００１】
本発明は携帯通信端末用補助装置に関するものであり、特に、携帯電話機、ＰＤＡ（Personal Digital Assistance）等の携帯通信端末への充電が可能で、かつパソコン用キーボード等を使用して該携帯通信端末に対する文字入力を行うことができる携帯通信端末用補助装置に関するものである。
【背景技術】
【０００２】
従来の携帯通信端末においてユーザが文字を入力する方法として、携帯通信端末の正面板上に備えられた操作キーを使用する方法がある。各操作キーには、複数の文字が割り付けられており、押下する操作キーの種類と、押下した回数に応じて、当該キーに割り付けられた複数の文字のうちの１つが入力され、入力した文字が携帯通信端末のディスプレイに表示される。
【０００３】
また、文字を入力する別の方法として、パソコン上で専用ソフトにより文字入力および編集を行い、携帯通信端末とパソコンとをケーブルで接続し、パソコンから携帯通信端末へと編集された文字列を転送するという方法がある(例えば、特許文献１参照)。
【０００４】
さらに、簡易型キーボードを携帯通信端末に接続して、文字入力および編集を行うようにしたものもある(例えば、特許文献２参照)。
【特許文献１】特開２００３−１８２５３号公報。
【特許文献２】特開２００２−７３２５６号公報。
【発明の開示】
【発明が解決しようとする課題】
【０００５】
しかしながら、携帯通信端末の正面板上に備えられた操作キーを使用して文字入力を行う方法は、文字の入力が非常に面倒で、時間がかかるという問題があった。
【０００６】
一方、特許文献１に示されるパソコンから携帯通信端末へ編集された文字列を転送する方法、および特許文献２に示される簡易型キーボードを携帯通信端末に接続して、文字入力および編集を行うようにした方法では、各キーのサイズは格段に大きく、またキーの数又は種類も非常に多いので、文字入力をするのが極めて簡単である。
【０００７】
しかし、特許文献１および特許文献２に記載の発明には、携帯通信端末の充電に関しては何ら言及されていない。すなわち、携帯通信端末の補助接続部は文字入力だけのために使用されており、外部のキーボードを使用しているときは携帯通信端末の充電は行われない。そのため、外部のキーボードと充電器は別々に用意しておかなくてはならないので、管理的、経済的に不利である。また、その都度、配線接続を変えて使用する必要があり、非常に面倒でもあった。
【０００８】
以上のように、携帯通信端末、たとえば携帯電話機に文字を入力する時において、長文等を入力する場合、従来の入力方法では不便であるという欠点があった。また、オプションとして、コンパクト型の携帯入力装置が存在しているが、それによる入力勝手もあまり良いとはいえないし、携帯電話機のみしか使用できない。又、パソコンキーボードと携帯電話機を直接接続するために、携帯電話機側でキーボードコードの処理を行うものもあるが、実際に使用するとなると、パソコンとキーボードは通常パソコン本体の裏側に接続されているので、使用時の接続コードの抜き差し作業が面倒である。更に、パソコンを介して携帯電話機をキーボードで操作するソフトを使用した場合は、パソコンの電源がオンに
なっていることが前提であり、電源オフの時は使用できない。
【０００９】
そこで、同一の補助装置を使用して、携帯通信端末への充電と、パソコン用キーボードを使用した文字入力とができるようにするために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、携帯通信端末用の補助装置であって、前記携帯通信端末に電力を供給する充電部と、パソコン用キーボードの接続を可能にする形式を定めたキーボード用インターフェースと、前記携帯通信端末との接続を可能にする形式を定めた携帯通信端末用インターフェースと、パソコンとの接続を可能にする形式を定めたパソコン用インターフェースと、前記パソコン用キーボードから入力されたデータを携帯通信端末用のデータに変換し前記携帯通信端末用インターフェースを介して前記携帯通信端末に出力する携帯通信端末用データ変換手段と、前記パソコン用キーボードから入力されたデータをパソコンのデータに変換し前記パソコン用インターフェースを介して前記パソコンに出力するパソコン用データ変換手段とを備え、携帯通信端末への充電とパソコン用キーボードを使用した携帯通信端末への文字入力操作とを可能にした携帯通信端末用補助装置を提供する。
【００１１】
この構成によれば、携帯電話機等の携帯通信端末に設けられている各キーに比べて、キーのサイズが大きく、またキーの数(種類)も非常に多い、パソコン用キーボードを使用した携帯通信端末への文字入力操作と、充電部を使用した携帯通信端末への充電操作との、両方を選択的に随時行うことができる。
【００１２】
請求項２記載の発明は、パソコン用キーボードから入力されたデータを、携帯通信端末用データ変換手段を介して携帯通信端末に出力する接続と、パソコン用インターフェースを介して前記パソコンに出力する接続とのいずれか一方に切り換える操作を、パソコン用キーボードから入力される任意のキーコードで切り換え可能に構成した携帯通信端末用補助装置を提供する。
【００１３】
この構成によれば、パソコン用キーボードから入力されたデータを携帯通信端末用データ変換手段経由で携帯通信端末に出力する接続から、パソコン用インターフェースを介して前記パソコンに出力する接続への切り換え、およびその逆の切り換えを、接続コードを実際に付け替えなくても、パソコン用キーボードから任意のキーコードを入力して簡単に切り換えることができる。
【００１４】
請求項３記載の発明は、上記キーボード用インターフェースを、ＰＳ／２コネクタ接続対応にした携帯通信端末用補助装置を提供する。
【００１５】
この構成によれば、ＰＳ／２コネクタ接続対応の外付けキーボードが使用できる。
【００１６】
請求項４記載の発明は、上記キーボード用インターフェースを、ＵＳＢコネクタ接続対応にした携帯通信端末用補助装置を提供する。
【００１７】
この構成によれば、ＵＳＢコネクタ接続対応の外付けキーボードが使用できる。
【００１８】
請求項５記載の発明は、上記充電部に外部ＡＣ電源アダプターを接続した携帯通信端末用補助装置を提供する。
【００１９】
この構成によれば、外部ＡＣ電源を使用して、常時、携帯通信端末への充電と外付けキ
ーボードを使用した文字入力を行うことができる。
【発明の効果】
【００２０】
請求項１記載の発明は、携帯電話端末等の携帯通信端末に設けられている各キーに比べてキーのサイズが大きく、またキーの数(種類)も非常に多い外付けキーボードを使用しての文字入力操作が行えるので、文字入力操作が簡単になる。また、文字入力操作と並行して充電を行うことができる。さらに、文字入力用のアダプター類と充電器の両方を用意して置かなくても、１つの携帯通信端末用補助装置で両方の作業を兼ねることができるので、補助装置類の管理が簡単になり、また経済的にも有利になることが期待できる。
【００２１】
請求項２記載の発明は、パソコン用キーボードのパソコンとの接続から携帯通信端末との接続への切り換え、およびその逆の切り換えを、接続コードを実際に付け替えなくても、パソコン用キーボードから任意のキーコードを入力して切り換えることができるので、請求項１記載の発明の効果に比べて、操作の簡略化が図れる。
【００２２】
請求項３記載の発明は、汎用のＰＳ／２コネクタ接続対応の外付けキーボードがあれば簡単に文字入力操作が行えるので、請求の範囲１または２記載の発明の効果に加えて、さらにシステムを簡略化できる。
【００２３】
請求項４記載の発明は、汎用のＵＳＢコネクタ接続対応の外付けキーボードがあれば簡単に文字入力操作が行えるので、請求の範囲１または２記載の発明の効果に加えて、さらにシステムを簡略化できる。
【００２４】
請求項５記載の発明は、外部ＡＣ電源を使用して、常時、携帯通信端末への充電と外付けキーボードを使用した文字入力を行うことができるので、請求の範囲１，２，３または４記載の発明の効果に加えて、充電と入力操作を簡単に行うことができる。
【発明を実施するための最良の形態】
【００２５】
以下、本発明に係る携帯通信端末用補助装置について、好適な実施例をあげて説明する。本発明の最良の形態は、同じ補助装置を使用して、携帯通信端末への充電と、パソコン用キーボードを使用した文字入力とができるようにするという目的を達成するために、携帯通信端末用の補助装置であって、前記携帯通信端末に電力を供給する充電部と、パソコン用キーボードの接続を可能にする形式を定めたキーボード用インターフェースと、前記携帯通信端末との接続を可能にする形式を定めた携帯通信端末用インターフェースと、パソコンとの接続を可能にする形式を定めたパソコン用インターフェースと、前記パソコン用キーボードから入力されたデータを携帯通信端末用のデータに変換し前記携帯通信端末用インターフェースを介して前記携帯通信端末に出力する携帯通信端末用データ変換手段と、前記パソコン用キーボードから入力されたデータをパソコンのデータに変換し前記パソコン用インターフェースを介して前記パソコンに出力するパソコン用データ変換手段とを備え、携帯通信端末への充電とパソコン用キーボードを使用した携帯通信端末への文字入力操作とを可能にした携帯通信端末用補助装置を提供することにより実現した。
【００２６】
本発明にあっては、従来のパソコン用キーボードを携帯電話機等の携帯通信端末の充電部に接続し、充電部を経由してパソコンに接続することにより、携帯電話機等の文字入力を快適に行える。そして、パソコン用キーボードの本来の役目であるパソコンに対する文字入力も何ら支障もなく、効率的な入力操作が維持され、長文の入力でも使い勝手が良くなる。又、使用時にはコードの抜き差しが不要になり、パソコンの電源がオフの場合でも使用できる。
【実施例】
【００２７】
図１は、本発明の一実施例に係る携帯通信端末用補助装置を使用した携帯通信端末システムの概略構成図である。図１に示されるように、本発明の携帯通信端末用補助装置１(以下、単に「補助装置１」という)を使用した形態通信端末システムは、補助装置１に加えて、携帯通信端末(本例では、携帯電話機)２、パソコン３、キーボード４、ディスプレイ５等で構成されている。
【００２８】
補助装置１にはＡＣ電源アダプター７が接続されており、ＡＣ電源アダプター７を介してコンセントから商用電源(通常、１００Ｖ電源)が供給される。また、補助装置１の上面側には携帯通信端末２を受容する受容凹部８が設けられ、受容凹部８内に受容された携帯通信端末２のバッテリーに充電を行うことができるようになっている。
【００２９】
更に、補助装置１は図示せぬデータ送受信部を有し、パソコン用のキーボード４を介して入力される文字（記号、数字等を含む）データを、携帯通信端末２あるいはパソコン３側に送り、携帯通信端末２のディスプレイ９、或いはパソコン３側のディスプレイ５上に表示させることができるようになっている。従って、補助装置１には接続ケーブル１０、接続ケーブル１１を介して、パソコン３及びパソコン用ＰＳ／２キーボード４が接続されている。
【００３０】
なお、パソコン用ＰＳ／２キーボード４は、接続ケーブル１１の先端に取り付けられたＰＳ／２コネクタ１２を補助装置１側のＰＳ／２コネクタ(不図示)に差し込むことによって接続されているが、パソコン用ＵＳＢキーボードを使用することも可能である。その場合、接続ケーブル１１の先端に取り付けられたＵＳＢコネクタを補助装置１側のＵＳＢコネクタに差し込んでＵＳＢ接続される。また、パソコン３と補助装置１とは、ＵＳＢ接続等で接続される。
【００３１】
図２は補助装置１の回路ブロック図である。図２において、補助装置１は、キーボード４からの情報を入力する形式を定めたキーボード用のインターフェース１３と、パソコン３との間でデータのやり取りする手順や形式を定めたパソコン用のインターフェース１４と、携帯通信端末２との間でデータのやり取りする手順や形式を定めた携帯通信端末用のインターフェース１５とを備える。更に、補助装置１は、通信制御部１６、パソコン用データコード変換部１７、携帯通信端末用データコード変換部１８、パソコン用バッファ１９、携帯通信端末用バッファ２０、充電部２１と、充電端子２２及びデータ端子２３，２４等を具備する。
【００３２】
充電端子２２およびデータ端子２３は受容凹部８内に設けられており、受容凹部８内に受容された携帯通信端末２の充電端子(不図示)およびデータ端子(不図示)とそれぞれ接続され、データ端子２４はケーブル１０を介してパソコン３と接続される。充電部２１は、受容凹部８内に受容された携帯通信端末２の充電用バッテリ(不図示)に充電用の電力を供給する。
【００３３】
通信制御部１６は、補助装置１とキーボード４との間におけるデータ信号のやり取りと、補助装置１と携帯通信端末２との間におけるデータ信号のやり取りと、補助装置１とパソコン３との間におけるデータ信号のやり取りを含む、補助装置１全体の動作を制御する。その通信制御部１６は、マイクロコンピュータ(通称「マイコン」)で構成されており、予め組み込まれているプログラムの手順により処理する。
【００３４】
図３は、通信制御部１６の動作を示すフローチャートである。図３において、通信制御部１６は、キーボード４から出力される任意のキーコード(例えば、Shift＋Ａ)を切り換えコードに該当させる(ステップＳ１)。前記キーコードの切り換えにより、キーボード４から出力されるデータ信号を携帯通信端末２へ送信するか、或いは、パソコン３へ送信す
るかの決定を行う(ステップＳ２)。
【００３５】
補助装置１からパソコン３へデータを送信する場合は、キーボード４から出力されるデータをパソコン用データ変換部１７へ送り、パソコン用データ変換部１７でパソコン３に準ずるコードに変換する。この後、変換データは、パソコン用バッファ１９へ送り、該パソコン用バッファ１９に一時蓄積し、該データを文字列毎にパソコン３へ送る(ステップＳ３)。パソコン３側では、このデータを処理し、パソコン３のディスプレイ５に表示する。
【００３６】
補助装置１から携帯通信端末２へデータを送信する場合は、キーボード４から出力されるデータを携帯通信端末用データ変換部１８へ送り、携帯通信端末用データ変換部１８で携帯通信端末２に準ずるコードに変換する(ステップＳ４)。この後、変換データは、携帯通信端末用バッファ２０へ送り、携帯通信端末用バッファ２０に一時蓄積し、該データを文字列毎に携帯通信端末２へ送る(ステップＳ５)。携帯通信端末２側では、このデータを処理し、携帯通信端末２のディスプレイ９に表示する。
【００３７】
したがって、この実施例の補助装置１を使用した場合では、パソコン３に普段使用しているキーボード４を使用して携帯通信端末２への文字入力を簡便に行える。また、キーボード４から出力される任意のキーコード(例えば、Shift＋Ａ)で切り換えれば、パソコン３とキーボード４との間の接続コード１０，１１を実際に付け替えなくても、切り換えコードで切り換え操作によって簡単に行える。また、携帯通信端末２のディスプレイ９を見易い場所に固定した状態でキー入力をすることができる。さらに、パソコン３の電源が入っていなくても、ＡＣ電源アダプター７により電力を供給してキーボード４を使用することができるとともに、携帯通信端末２への充電も並行して行うことができる。
【００３８】
なお、本発明は、本発明の精神を逸脱しない限り種々の改変を為すことができ、そして、本発明が該改変されたものに及ぶことは当然である。
【図面の簡単な説明】
【００３９】
【図１】本発明に係る携帯通信端末用補助装置を使用した携帯通信端末システムの一例を示す概略構成図。
【図２】同上補助装置の回路ブロック図。
【図３】同上補助装置における通信制御部１６の動作を示すフローチャート。
【符号の説明】
【００４０】
１    携帯通信端末用補助装置
２    携帯通信端末
３    パソコン
４    キーボード
５    ディスプレイ
６    装置本体
７    ＡＣ電源アダプター
８    受容凹部
９    ディスプレイ
１０  接続ケーブル
１１  接続ケーブル
１２  ＰＳ／２コネクタ
１３  インターフェース
１４  インターフェース
１５  インターフェース
１６  通信制御部
１７  パソコン用データコード変換部
１８  携帯通信端末用データコード変換部
１９  パソコン用バッファ
２０  携帯通信端末用バッファ
２１  充電部
２２  充電端子
２３  データ端子
２４  データ端子
【図１】
2006325151.tif 000003
【図２】
2006325151.tif 000004
【図３】
2006325151.tif 000005